(57)【特許請求の範囲】
【請求項１】
表示画面を有する自発光表示器と、所望の表示パターンを固定表示する第１表示部と該第１表示部とは異なる領域に形成された該第１表示部よりも低輝度の第２表示部とを有する画像情報を前記自発光表示器の表示画面に表示させる表示制御手段と、を有する車両用表示装置において、
前記自発光表示器の表示時間を計測する表示時間計測手段と、
前記第１表示部と前記第２表示部とを表示する前記表示画面に輝度劣化のバラツキが生じたときに、前記表示時間計測手段が計測した表示時間に基づいて、前記第１表示部と前記第２表示部が同一の輝度となる前記第２表示部の調整階調を特定する調整階調特定手段と、
を有し、
前記表示制御手段が、前記第２表示部に対応した前記表示画面の表示領域を前記階調特定手段によって特定された調整階調で前記自発光表示器に表示させる手段であって、
前記表示画面は、前記画像情報と、該画像情報とは異なる第２画像情報とを切り替えて表示可能に構成され、
前記調整階調特定手段は、前記画像情報を表示した表示時間に基づいて、前記表示画面のうち前記第１表示部に対応する第１表示領域と、前記第２表示部に対応する第２表示領域と、における輝度劣化を特定し、
前記表示制御手段は、前記表示画面を前記画像情報から前記第２画像情報に切り替えて表示する際に、該第２画像情報を前記表示画面に表示したときの前記第１表示領域と前記第２表示領域とにおける輝度が同一となるように、前記輝度劣化に基づいて該第１表示領域に対応する部分の透過率を低くして輝度を低下させるマスク画像である透過画像情報と、該第２画像情報と、を半透明合成した画像情報を前記表示画面に表示させ、
前記自発光表示器の温度を計測する温度計測手段を有し、
前記調整階調特定手段が、前記温度計測手段によって計測した温度と前記自発光表示器の寿命との関係から前記表示時間を補正し、該補正した表示時間に基づいて前記第１表示部と前記第２表示部が同一の輝度となる前記第２表示部の調整階調及び前記輝度劣化を特定する手段であることを特徴とする車両用表示装置。
【発明の詳細な説明】
【技術分野】
【０００１】
本発明は、表示画面を有する自発光表示器と、所望の表示パターンを固定表示する第１表示部と該第１表示部とは異なる領域に形成された該第１表示部よりも低輝度の第２表示部とを有する画像情報を前記自発光表示器の表示画面に表示させる表示制御手段と、を有する車両用表示装置に関するものである。
【背景技術】
【０００２】
一般に、車両の車室内に設けられた車両用表示装置は、運転席に着座した運転者がステアリングホイールを介してそれぞれの計器装置の表示を視認できるように、運転席前方のインストルメントパネル内に配置されている。この車両用表示装置は、車両の走行速度、エンジンの単位時間当たりの回転数、燃料タンクの燃料の残量、エンジンの冷却水の温度などを示す複数の表示エリアを有して構成している。これらの各表示エリアは、運転者が一目で車両状態を理解できるように、同一ケースに効率よく配置している。
【０００３】
車両用表示装置には、有機ＥＬ（Electro Luminescence）素子、無機ＥＬ素子、蛍光表示管（ＶＦＤ）、電界放電ディスプレイ（ＦＥＤ：Field Emission Display）、等の自発光表示器を備えて、該自発光表示器によって例えば速度計、回転計、等の表示パターンを表示するものがある。そして、このような自発光表示器においては、特許文献１等に示されているように、発光素子の発光特性が発光時間の経過に伴って劣化し、同じ入力電流によって得られる輝度が低下するために、画面の一定位置に常にアイコンを表示する場合等、特定の画素の発光輝度が高い場合、これらの画素は他の画素に比べて発光特性が著しく劣化するという「焼き付き」の問題が発生することが知られている。
【０００４】
特許文献１に示すマトリックス駆動型ディスプレイは、表示パネルが駆動される状態において、その各画素に対する入力データを一定周期で画素毎に積算し、その後の非使用状態にて、全画素についての積算値を同一値に揃えるための補正データを作成し、該補正データに基づいて各画素を発光させる技術思想が記載されている。
【先行技術文献】
【特許文献】
【０００５】
【特許文献１】特開２００３−２２８３２９号公報
【発明の概要】
【発明が解決しようとする課題】
【０００６】
しかしながら、特許文献１に示すディスプレイでは、入力データに基づいて画素毎の監視を行う必要があったため、発光素子への入力信号を監視してその累積を記憶する回路等が必要であり、ハードウェア的な対策が必要であった。そのため、使用する発光素子が変更されると補正方法や回路構成等も変更しなければならず、汎用的ではなかった。
【０００７】
また、ソフトウェアによって画像の輝度を調整しようとした場合、調整用の複数の画像を用いるためにデータ容量が増大してしまうという問題があった。また、１つの画像をソフトウェアで調整しようとした場合は、その調整処理に時間を要してしまい、スムーズな描画が困難である、高価なグラフィック・コントローラを用いる必要がある、等の問題が生じてしまい、車両に搭載させることを考慮すると、コスト面等の問題から実現させるのは困難であった。
【０００８】
よって本発明は、上述した問題点に鑑み、装置構成を複雑化することなく、焼き付きによる発光のバラツキを低減させる車両用表示装置を提供することを課題としている。
【課題を解決するための手段】
【０００９】
上記課題を解決するため本発明によりなされた請求項１記載の車両用表示装置は、図１の基本構成図に示すように、表示画面１５ａを有する自発光表示器１５と、所望の表示パターンを固定表示する第１表示部Ｇ１１と該第１表示部Ｇ１１とは異なる領域に形成された該第１表示部Ｇ１１よりも低輝度の第２表示部Ｇ１２とを有する画像情報Ｇ１を前記自発光表示器１５の表示画面１５ａに表示させる表示制御手段Ｐ１と、を有する車両用表示装置１において、前記自発光表示器１５の表示時間を計測する表示時間計測手段Ｐ２と、前記第１表示部Ｇ１１と前記第２表示部Ｇ１２とを表示する前記表示画面１５ａに輝度劣化のバラツキが生じたときに、前記表示時間計測手段Ｐ２が計測した表示時間に基づいて、前記第１表示部Ｇ１１と前記第２表示部Ｇ１２が同一の輝度となる前記第２表示部Ｇ１２の調整階調を特定する調整階調特定手段Ｐ３と、を有し、前記表示制御手段Ｐ１が、前記第２表示部Ｇ１２に対応した前記表示画面１５ａの表示領域を前記階調特定手段Ｐ３によって特定された調整階調で前記自発光表示器１５に表示させる手段であって、前記表示画面は、前記画像情報と、該画像情報とは異なる第２画像情報とを切り替えて表示可能に構成され、前記調整階調特定手段は、前記画像情報を表示した表示時間に基づいて、前記表示画面のうち前記第１表示部に対応する第１表示領域と、前記第２表示部に対応する第２表示領域と、における輝度劣化を特定し、前記表示制御手段は、前記表示画面を前記画像情報から前記第２画像情報に切り替えて表示する際に、該第２画像情報を前記表示画面に表示したときの前記第１表示領域と前記第２表示領域とにおける輝度が同一となるように、前記輝度劣化に基づいて該第１表示領域に対応する部分の透過率を低くして輝度を低下させるマスク画像である透過画像情報と、該第２画像情報と、を半透明合成した画像情報を前記表示画面に表示させ、前記自発光表示器の温度を計測する温度計測手段を有し、前記調整階調特定手段が、前記温度計測手段によって計測した温度と前記自発光表示器の寿命との関係から前記表示時間を補正し、該補正した表示時間に基づいて前記第１表示部と前記第２表示部が同一の輝度となる前記第２表示部の調整階調及び前記輝度劣化を特定する手段であることを特徴とする。
【００１０】
上記請求項１に記載した本発明の車両用表示装置によれば、経年変化等によって第１表示部Ｇ１１と第２表示部Ｇ１２とを表示する表示画面１５ａに輝度劣化のバラツキが生じたときは、表示時間計測手段Ｐ２によって計測された自発光表示器１５の表示時間に基づいて、第１表示部Ｇ１１と第２表示部Ｇ１２が同一の輝度となる第２表示部Ｇ１２の調整階調が調整階調特定手段Ｐ３によって特定される。そして、第２表示部Ｇ１２に対応した表示画面１５ａの表示領域が当該調整階調となるように表示制御手段Ｐ１によって自発光表示器１５に表示させる。
【００１２】
また、表示制御手段Ｐ１によって透過画像情報と画像情報Ｇ１とが半透明合成されると、第２表示部Ｇ１２に対応した部分が調整輝度となった該合成された画像情報が自発光表示器１５に表示される。
【００１４】
また、自発光表示器１５の表示内容を画像情報Ｇ１から第２画像情報Ｇ２へ切り替えるときに、表示制御手段Ｐ１によって第２画像情報Ｇ２と透過画像情報とが半透明合成されて自発光表示器１５に表示される。
【００１６】
また、温度計測手段１８によって自発光表示器１５の温度が計測されると、該計測した温度と自発光表示器１５の寿命との関係から、実際に計測した表示時間が補正される。温度と自発光表示器１５の寿命との関係は、温度が高温状態で用いられるよりも、低温状態で用いられる方が寿命が長くなることが判明したことから、その温度による寿命の差を吸収するように表示時間を補正する。そして、補正した表示時間に基づいて、第１表示部Ｇ１１と第２表示部Ｇ１２が同一の輝度となる第２表示部Ｇ１２の調整階調が調整階調特定手段Ｐ３によって特定される。
【発明の効果】
【００１７】
以上説明したように請求項１に記載した本発明の車両用表示装置によれば、自発光表示器の表示時間に応じて高輝度による固定表示を行う第１表示部の表示領域は輝度が劣化し且つ第２表示部の表示領域はその輝度劣化が遅れて表示画面に輝度劣化のバラツキが生じるが、該表示時間に基づいて第１表示部と第２表示部が同一の輝度となる調整階調を特定し、第２表示部に対応した表示画面の表示領域が当該調整階調となるように自発光表示器を表示させるようにしたことから、自発光表示器の表示画面において経年変化等によって第１表示部と第２表示部との各々に対応した表示領域との間に輝度劣化のバラツキ（輝度斑）が発生しても、表示画面全体を同一の輝度で表示することができる。従って、自発光表示器の画素毎の監視を行う必要がないため、装置構成を複雑化することなく、焼き付きによる輝度のバラツキを低減させることができる。また、装置構成の複雑化しないことから、装置のコストアップを防止できるため、低価格の車両等に対する普及にも貢献することができる。
【００１８】
さらに、透過画像情報と画像情報とを半透明合成した画像情報を自発光表示器に表示させるようにしたことから、画像情報の半透明合成によって第２表示部に対応した部分を調整輝度とすることができ、例えばグラフィック・コントローラ等の機能を用いて輝度調整を行うことができるため、装置の複雑化を防止し且つ既存機能の有効利用してコストダウンを図ることができる。
【００１９】
また、自発光表示器の表示内容を画像情報から第２画像情報へ切り替えるときに、当該第２画像情報と画像情報に対応した透過画像情報とを半透明合成して自発光表示器に表示させるようにしたことから、自発光表示器の表示画面において第１表示部と第２表示部とに対応した領域の間に輝度斑が発生していても、透過画像情報に基づいて劣化が遅れた領域を調整輝度とすることができるため、自発光表示器の表示内容を第２画像情報に切り替えても、表示画面の焼き付きによる発光のバラツキを目立たなくすることができる。
【００２０】
また、自発光表示器の表示時間をその温度に適した表示時間に補正し、該補正した表示時間に基づいて第１表示部と第２表示部が同一の輝度となる調整階調を特定し、第２表示部に対応した表示画面の表示領域が当該調整階調となるように自発光表示器を表示させるようにしたことから、自発光表示器の表示画面において経年変化等による第１表示部と第２表示部との各々に対応した表示領域との間に輝度劣化のバラツキ（輝度斑）が発生しても、自発光表示器の使用環境等の影響を受けることなく表示画面全体を同一の輝度で表示することができる。
【図面の簡単な説明】
【００２１】
【図１】本発明の車両用表示装置の基本構成を示す構成図である。
【図２】本発明に車両用表示装置の概略構成を示す構成図である。
【図３】本発明の画像情報の表示例を示す図である。
【図４】第２画像情報の表示例を示す図である。
【図５】自発光表示器における輝度と表示時間との関係を示すグラフである。
【図６】自発光表示器における輝度と階調との関係を示すグラフである。
【図７】自発光表示器における階調とアルファ値との関係を示すグラフである。
【図８】自発光表示器におけるアルファ値と表示時間との関係を示すグラフである。
【図９】図２のＣＰＵが実行する本発明に係る輝度調整処理の一例を示すフローチャートである。
【図１０】表示画面における第１表示領域と第２表示領域の輝度と表示時間との関係を示すグラフである。
【発明を実施するための形態】
【００２２】
以下、本発明に係る車両用表示装置の一実施形態を、図２〜図１０の図面を参照して以下に説明する。
【００２３】
図２において、車両用表示装置１は、例えば車両にグラフィックメータ等として組み込まれている。車両用表示装置１は、予め定めたプログラムに従って各種の処理や制御などを行う中央演算処理装置（ＣＰＵ）１１と、ＣＰＵ１１のためのプログラム等を格納した読み出し専用のメモリであるＲＯＭ１２と、各種のデータを格納するとともにＣＰＵ１１の処理作業に必要なエリアを有する読み出し書き込み自在のメモリであるＲＡＭ１３と、グラフィック・コントローラ（ＧＣ：Graphics Controller）１４と、自発光表示器（表示器ともいう）１５と、ＶＲＡＭ（Video Random Access Memory）１６と、ＥＥＰＲＯＭ（electrically erasable programmable read - only memory）１７と、温度センサ１８と、を有している。
【００２４】
ＣＰＵ１１は、ＲＯＭ１２とＲＡＭ１３とＧＣ１４と温度センサ１８がそれぞれ電気的に接続されている。そして、ＣＰＵ１１は、車両用表示装置１０が搭載された車両の車載ＬＡＮと図示しない通信装置等を介して通信可能に接続されている。そして、ＧＣ１４には、表示器１５とＶＲＡＭ１６とが接続され、各種データの表示を行う。
【００２５】
ＲＯＭ１２は、車両用表示装置１における処理全体を制御するためのプログラム等を記憶しており、ＣＰＵ１１はそのプログラムを実行することで、所望の表示画像の表示要求をＧＣ１４に出力して、表示器１５の表示を制御している。即ち、ＲＯＭ１２は、ＣＰＵ１１を図１に示す請求項中の表示時間計測手段Ｐ２、調整階調特定手段Ｐ３、等の各種手段として機能させるための各種プログラムを記憶している。
【００２６】
ＧＣ１４は、ＣＰＵ１１から表示要求を受けると、ＶＲＡＭ１６の各種情報（データ）に基づいて、図３に示す第１画像情報Ｇ１と図４に示す第２画像情報Ｇ２の各々を表示器１５に描画させることで、表示器１５に第１画像情報Ｇ１と第２画像情報Ｇ２を切り替えて表示させる。なお、本実施形態では、ＧＣ１４を図１に示す請求項中の表示制御手段Ｐ１として機能させる場合について説明するが、ＣＰＵ１１を表示制御手段Ｐ１として機能させるなど種々異なる実施形態とすることができる。
【００２７】
表示器１５は、図３，４に示す各種画像情報が表示される表示画面１５ａを有し、該表示画面１５ａが車両のインストルメントパネルに運転者から目視可能なように設けられている。そして、表示器１５は、通常時に図３に示す第１画像情報Ｇ１を表示画面１５ａに表示することで、公知であるメーターとして機能している。表示器１５は、縦横の行列に並んでいる表示単位(画素)をＯＮ／ＯＦＦして、文字・図形などを表示画面１５ａに描くことができるドットマトリクス表示可能な構成となっており、例えば有機ＥＬ（Electro Luminescence）素子などの表示装置が任意に用いられる。そして、表示器１５はＧＣ１４の制御により各画素をＯＮ／ＯＦＦして第１画像情報Ｇ１や第２画像情報Ｇ２等を表示画面１５ａに切り替えて表示する構成となっている。
【００２８】
図２に示すＶＲＡＭ１６は、公知であるように、表示器１５に表示される内容を保持して記憶するメモリとなっており、上述した第１画像情報Ｇ１及び第２画像情報Ｇ２や、透過画像情報、等の各種情報を記憶している。
【００２９】
第１画像情報Ｇ１は、図３に示すように、所望の表示パターンを固定表示する第１表示部Ｇ１１と、該第１表示部Ｇ１１とは異なる領域に形成された該第１表示部Ｇ１１よりも低輝度の第２表示部Ｇ１２と、計測量に応じた指標の指示位置まで回動されるように表示される指示部Ｇ１３と、を有している。なお、本実施形態では所望の表示パターンをスピードメータの意匠パターンとした場合について説明するが、本発明はこれに限定するものではなく、例えば回転計、燃料計、等の実施形態の表示形態によって任意に定められる。
【００３０】
第１表示部Ｇ１１は、複数の目盛とその数字、単位、等の指標を固定して所望の輝度で表示する領域となっている。第２表示部Ｇ１２は、前記表示パターンの背景であり、例えば黒色、ダークグレー、紺色、等の前記指標よりも低い輝度の暗色系となっている。第２表示部Ｇ１２は、例えば指標の危険範囲に相当する背景の領域を警告色とするなど複数の表示色とすることもできる。指示部Ｇ１３は、公知であるスピードメータ等の指針に相当し、予め定められた回動範囲を計測量の変化等に応じて更新されて、第１画像情報Ｇ１の中央部から第１表示部Ｇ１１に向かって直線状に表示される。
【００３１】
表示器１５の表示画面１５ａは、第１画像情報Ｇ１を表示すると、その第１表示部Ｇ１１を表示する部分が第１表示領域１５ｂ、第２表示部Ｇ１２を表示する部分が第２表示領域１５ｃとなる。そして、表示器１５はそれらの第１表示領域１５ｂと第２表示領域１５ｃの対応した画素素子の各々の表示を制御することになる。
【００３２】
第２画像情報Ｇ２は、通常時に表示器１５に表示されている第１表示部Ｇ１から、利用者からの切り替え要求や所定の切り替えタイミングで切り替えられる画像となっている。即ち、第２画面情報Ｇ２は、表示器１５の表示画面１５ａにおける第１画面情報Ｇ１と同一の領域に表示される。そして、第２画像情報Ｇ２は、図４に示すように、「ＮＡＶＩ（ナビゲーション）」、「ＡＵＤＩＯ」、「Ａ／Ｃ（エアーコンディショナー）」を選択させるメニュー画面を示す画像情報となっている。
【００３３】
透過画像情報は、経年変化等によって輝度の劣化が遅れた表示画面１５ａの領域（表示パターン）を示し、第２表示部Ｇ１２に対応した部分を前記調整輝度となるように透過するマスク画像となっている。透過画像情報は、透過したい部分、即ちスピードメータ等の表示パターンに対応した第１表示部Ｇ１１の背景部分を定義した画像を特定することが可能な情報であり、ＧＣ１４が有するアルファブレンド（αブレンド）機能で用いられる。
【００３４】
アルファブレンドとは、公知であるように、２つの画像を係数（アルファ値）を使って半透明合成する機能である。そして、アルファ値は、コンピュータが扱うデジタル画像データにおいて、各画素（点）に設定された透過度情報を意味し、完全な透明（無色）から、不完全な不透明（背景の色を全く通さない）までを設定できるようになっている。そして、コンピュータが画像を扱う場合、色情報として、各画素についてＲ（赤）・Ｇ（緑）・Ｂ（青）の三原色の情報を持っており、その組み合わせで色を表現している（ＣＭＹＫモードの場合は４色）。画素の透明度を表現する場合には、それにアルファ値を加え、４つの情報を組み合わせることで、１つの画素を表示することになる。
【００３５】
よって、本実施形態では、透過画像情報で第２表示部Ｇ１２に対応した表示画面１５ａの第２表示領域（背景部分）１５ｃを特定することが可能な構成とし、輝度劣化に基づいてアルファ値を算出し、該アルファ値に基づいて当該表示領域の各画素に対する透過度を規定する場合について説明する。そして、ＧＣ１４はＣＰＵ１１からアルファ値が入力されると、第２表示部Ｇ１２に相当する部分がアルファ値となる透過画像情報を作成または抽出してＶＲＡＭ１６に記憶し、該透過画像情報とＶＲＡＭ１６の第１画像情報Ｇ１をアルファブレンドして表示器１５に表示させる。これにより、表示器１５は第１表示部Ｇ１１と第２表示部Ｇ１２の画面全体の輝度を一律に調整した第１画像情報Ｇ１を表示することになる。また、ＧＣ１４は、ＣＰＵ１１から切り替え要求を受けると、ＶＲＡＭ１６の第２画像情報Ｇ２と透過画像情報とをアルファブレンドして表示器１５に表示させる。
【００３６】
温度センサ１８は、車両用表示装置１に設けられたセンサ素子を有している。センサ素子は、設置箇所の温度に応じた温度信号をＣＰＵ１１に出力する。そして、ＣＰＵ１１は、温度センサ１８からの温度信号に基づいて車両用表示装置１の温度を検出して、該温度を表示器１５の劣化判定（推測）等に用いることが可能な構成となっている。なお、温度を輝度劣化の判定に用いない場合は、車両用表示装置１の構成から削除することもできる。
【００３７】
次に、表示器１５の表示時間とアルファ値との関係の導出方法の一例を、図５乃至図８の図面を参照して以下に説明する。なお、ガンマ特性は、１．０に設定した場合を前提として説明する。
【００３８】
まず、図５に示すように、車両用表示装置１に用いる表示器１５に対して表示時間と輝度落ち（劣化）の関係を、実測またはシミュレーション等の結果から導出する。このように表示器１５固有の輝度の劣化特性を導出しておく。なお、図５において、縦軸は輝度、横軸は表示時間をそれぞれ示している。
【００３９】
表示器１５の表示画面１５ａにおいて、劣化していない画素を基準とし、図６に示す輝度と階調との関係、及び、図７に示す階調とアルファ値との関係を、実測またはシミュレーション等の結果から導出する。そして、図６、７において、階調とアルファ値はその上限を１００％としている。なお、図６及び図７の各グラフの特性は、ガンマ特性によって変化するものである。
【００４０】
図５乃至図７の各グラフに基づいて、表示時間とアルファ値との関係を導出し、それらに基づいた例えばアルファ値テーブル、アルファ値算出式、等のアルファ値情報を作成してＲＯＭ１２に予め記憶しておく。これにより、表示器１５の表示時間を計測することで、該表示時間とアルファ値情報とに基づいて、第１表示部Ｇ１１の輝度劣化に対応した第２表示部Ｇ１２の調整輝度を特定するためのアルファ値を求めることを可能としている。
【００４１】
なお、調整輝度については、表示時間から輝度劣化を推測し、該推測した輝度劣化と予め定められたテーブル、算出式、等に基づいてアルファ値、調整輝度等を特定するなど種々異なる実施形態とすることができる。
【００４２】
次に、上述したＣＰＵ１１は、ＲＯＭ１２に予め記憶された表示時間計測処理プログラムを実行して図１に示す請求項中の表示時間計測手段Ｐ２として機能することで、例えば任意のタイミングで表示器１５の表示時間を計測し、その表示時間やカウンタ値等を示す表示時間情報をＥＥＰＲＯＭ１７に定期的に記憶する。
【００４３】
次に、上述した車両用表示装置１のＣＰＵ１１が実行する本発明に係る輝度調整処理の一例を、図９に示すフローチャートを参照して以下に説明する。なお、この輝度調整処理は例えば所定の表示時間、日時等の任意のタイミングで上位モジュールから呼び出されることを前提としている。
【００４４】
ＣＰＵ１１によって輝度調整処理プログラムが実行されると、図９に示すステップＳ１１において、ＥＥＰＲＯＭ１７から表示時間情報が取得され、ステップＳ１２において、表示時間情報と前記アルファ値情報とに基づいて、表示時間、即ち第１表示部Ｇ１１と第２表示部Ｇ１２が同一の輝度となる第２表示部Ｇ１２の調整階調に対応したアルファ値が特定され、ステップＳ１３において、そのアルファ値がＧＣ１４に出力され、その後処理を終了する。
【００４５】
以上の説明からも明らかなように本最良の形態においては、ＣＰＵ１１が上述した輝度調整処理プログラムを実行することで、図１に示す請求項中の調整階調特定Ｐ２として機能することになる。
【００４６】
次に、本発明に係る車両用表示装置１の動作（作用）の一例を、図３、４、１０等の図面を参照して以下に説明する。
【００４７】
車両用表示装置１は、車両のイグニッションスイッチのＯＮ等に応じて起動されると、表示器１５の表示画面１５ａに第１画像情報Ｇ１を表示することで、図３に示すように、表示画面１５ａにはスピードメータの意匠パターンに相当する第１表示部Ｇ１１が高輝度で固定表示され、その背景に相当する第２表示部Ｇ１２は黒色等の非表示状態となる。これにより、表示器１５においては、第１表示部Ｇ１１に対応した表示領域は経年変化等によって劣化が進むのに対し、第２表示部Ｇ１２に対応した表示領域はその劣化が遅れることになる。そして、その劣化の差は、表示時間の経過に応じて徐々に大きくなってしまい、その大きさによって表示領域間に輝度斑が生じることになる。
【００４８】
また、車両用表示装置１は、所定のサンプリング間隔で速度信号をサンプリングして車両の速度（計測量）を計測すると、その速度に対応した意匠パターンを指示させるために、指示部Ｇ１３を第２表示部Ｇ１２上に表示する。即ち、指示部Ｇ１３の先端は意匠パターンに沿うように、第２表示部Ｇ１２上を計測量に応じて移動させて表示することになる。よって、指示部Ｇ１３は計測量に応じて移動することから、表示器１５の第２表示部Ｇ１２における指示部Ｇ１３の移動範囲に対応した画素素子の劣化も遅れることになる。
【００４９】
車両用表示装置１の表示器１５は、第１画像情報Ｇ１を常時表示すると、図１０に示すように、その表示時間に応じて第１表示領域１５ｂの輝度は劣化するのに対して第２表示領域１５ｃの輝度劣化は遅れることが分かる。なお、図１０において、縦軸は輝度、横軸は表示時間を示している。
【００５０】
そのため、車両用表示装置１は、表示器１５の表示時間を計測し、該表示時間に応じて第１表示領域１５ｂの輝度劣化に対応したアルファ値（調整輝度）を特定し、第２表示領域１５ｃに相当する部分がアルファ値となる透過画像情報と第１画像情報Ｇ１をアルファブレンドして表示器１５に表示させる。そして、その表示画面１５ａにおいて、劣化が進んだ第１表示領域１５ｂの透過率は１００％、即ちアルファブレンドはされず、また、劣化の遅れた第２表示領域１５ｃの透過率は、劣化の進んだ第１表示領域１５ｂに合わせて輝度調整が行われて例えば８０％となる。このように本発明では、ソフトウェアによって表示画面１５ａの特性に合わせてアルファ値を特定しているので、専用の回路等を設ける必要がなくなる。
【００５１】
また、車両用表示装置１は、表示画面１５ａの第１表示領域１５ｂと第２表示領域１５ｃとに輝度のバラツキが生じている状態で、車載ＬＡＮを介して運転者等によって第２画像情報Ｇ２の表示が要求されると、ＶＲＡＭ１６の図４に示す第２画像情報Ｇ２と上述した最新のアルファ値に対応した透過画像情報とをアルファブレンドして表示器１５に表示させる。これにより、表示器１５は第１表示部Ｇ１１と第２表示部Ｇ１２の画面全体の輝度を一律に調整しているため、表示画面１５ａに表示される第２画像情報Ｇ２は、焼き付きによる輝度のバラツキが目立たなくなっている。
【００５２】
以上説明した車両用表示装置１によれば、自発光表示器１５の表示時間に応じて高輝度による固定表示を行う第１表示部Ｇ１１の第１表示領域１５ｂは輝度が劣化し且つ第２表示部Ｇ１２の第２表示領域１５ｃはその輝度劣化が遅れて表示画面１５ａに輝度劣化のバラツキが生じるが、該表示時間に基づいて第１表示部Ｇ１１と第２表示部Ｇ１２が同一の輝度となる調整階調を特定し、第２表示部Ｇ１２に対応した表示画面１５ａの第２表示領域１５ｃが当該調整階調となるように自発光表示器１５を表示させるようにしたことから、自発光表示器１５の表示画面１５ａにおいて経年変化等によって表示画面１５ａの第１表示領域１５ｂと第２表示領域Ｅ２との間に輝度劣化のバラツキ（輝度斑）が発生しても、表示画面１５ａ全体を同一の輝度で表示することができる。従って、自発光表示器１５の画素毎の監視を行う必要がないため、装置構成を複雑化することなく、焼き付きによる輝度のバラツキを低減させることができる。また、装置構成の複雑化しないことから、装置のコストアップを防止できるため、低価格の車両等に対する普及にも貢献することができる。
【００５３】
また、車両用表示装置１によれば、透過画像情報と各画像情報とを半透明合成した画像情報を自発光表示器１５に表示させるようにしたことから、各画像情報の半透明合成によって第２表示部Ｇ１２に対応した表示画面１５ａのＩ２表示領域Ｅ２部分を調整輝度とすることができ、既存のグラフィック・コントローラ１４の機能を用いて輝度調整を行うことができるため、装置の複雑化を防止し且つ既存機能の有効利用してコストダウンを図ることができる。
【００５４】
さらに、車両用表示装置１によれば、自発光表示器１５の表示内容を第１画像情報Ｇ１から第２画像情報Ｇ２へ切り替えるときに、当該第２画像情報Ｇ２と第１画像情報Ｇ１に対応した透過画像情報とを半透明合成して自発光表示器１５に表示させるようにしたことから、自発光表示器１５の表示画面１５ａにおいて第１表示領域１５ｂと第２表示領域１５ｃとの間に輝度斑が発生していても、透過画像情報に基づいて劣化が遅れた第２表示領域１５ｃを調整輝度とすることができるため、自発光表示器１５の表示内容を第２画像情報Ｇ２に切り替えても、表示画面１５ａの焼き付きによる発光のバラツキを目立たなくすることができる。
【００５５】
なお、上述した本実施形態では、車両用表示装置１が第１画像情報Ｇ１と第２画像情報Ｇ２とを切り替えて表示する場合について説明したが、例えば３つ以上の画像情報を切り替えて表示する場合に、各画像情報の表示時間の各々に基づいて表示画面１５ａの表示領域を設定して調整輝度を特定して調整することもできる。
【００５６】
また、上述した本実施形態では、温度センサ１８で検出した温度を、表示器１５の輝度劣化の推測に利用しない場合について説明したが、本発明はこれに限定するものではなく、温度や、第１画像情報Ｇ１の表示時間、など種々異なるパラメータを用いて調整輝度を特定することができる。
【００５７】
表示器１５は、一般に、温度が８０℃等の高温状態で用いられるよりも、２５℃等の低温状態で用いられる方が寿命が長くなることが知られている。よって、表示器１５の温度を計測し、該温度と表示器１５の寿命との関係から表示時間を補正する寿命換算情報を予め作成しておく。そして、車両用表示装置１は、計測した温度と寿命換算情報とから表示時間を補正することで、表示器１５の使用環境に適した表示時間を求めることができる。
【００５８】
例えば、上述した車両用表示装置１は、表示時間を計測するときに、温度センサ１８が検出した温度を取得し、前記寿命換算情報から温度に対応した表示器１５の寿命を求め、該寿命から表示時間を補正する。そして、車両用表示装置１は、表示器１５の保障期間に対し、求めた寿命が実際よりも短いと推測できる場合は表示時間を増加させる補正を行い、該補正した表示時間に基づいて第１表示部Ｇ１１と第２表示部Ｇ１２が同一の輝度となる調整階調を特定し、第２表示部Ｇ１２に対応した表示画面１５ａの表示領域が当該調整階調となるように表示器１５を表示させる。
【００５９】
その結果、表示器１５の表示画面１５ａにおいて経年変化等による第１表示部Ｇ１１と第２表示部Ｇ１２との各々に対応した表示領域との間に輝度劣化のバラツキ（輝度斑）が発生しても、表示器１５の使用環境等の影響を受けることなく表示画面全体を同一の輝度で表示することができる。
【００６０】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００６１】
１    車両用表示装置
１１    ＣＰＵ
１４    グラフィックコントローラ（ＧＣ）
１５    自発光表示器（表示器）
１５ａ    表示画面
１５ｂ    第１表示領域
１５ｃ    第２表示領域
１６    ＶＲＡＭ
Ｇ１    第１画像情報
Ｇ１１    第１表示部
Ｇ１２    第２表示部
Ｇ２    第２画像情報
Ｐ１    表示制御手段（ＧＣ）
Ｐ２    表示時間計測手段（ＣＰＵ）
Ｐ３    調整輝度特定手段（ＣＰＵ）
【図１】
0005479051.tif 000002
【図２】
0005479051.tif 000003
【図３】
0005479051.tif 000004
【図４】
0005479051.tif 000005
【図５】
0005479051.tif 000006
【図６】
0005479051.tif 000007
【図７】
0005479051.tif 000008
【図８】
0005479051.tif 000009
【図９】
0005479051.tif 000010
【図１０】
0005479051.tif 000011